(57)【要約】塗布器（１０）は、毛髪に対して液体（３２）を塗布する。液体は、染料又は他の毛髪トリートメント液体であり得る。塗布器（１０）は、液体（３２）を格納するためのチャンバ（１２）を与えるよう中空であるハンドル（１１）を備える。ステム（１６）は、ハンドル（１１）に対して固定され、液体を受容する通路（２０）を備える一方、塗布器部分（２３）は、ステム（１６）に対して固定され、通路（２０）と連通する開口（２６）を備えるため、液体は、塗布器（１０）によって運搬され得る。
2010509948.tif 000002
【特許請求の範囲】
【請求項１】
毛髪に対して液体を塗布するための塗布器であって、
分注器によって分注されるべき液体を受容するためのチャンバを与える、ユーザの手において握られるハンドルと、
該ハンドルから長手方向に延在するよう該ハンドルに対して固定されるステムと、
塗布器部分と、
前記ハンドルは、分注器によって分注されるべき液体を受容するためのチャンバを与え、
前記ステムは、長手方向軸と前記チャンバと連通する長手方向通路とを備えるため、使用時に前記チャンバからの液体は、前記ステムの長手方向に流れ得、また、前記ステムは更に、前記通路と連通するソケットを有し、
該ソケットにおいて位置決めされる前記塗布器部分は、前記毛髪が上方を通過する表面と、前記通路から前記液体が運搬され得る前記表面における開口まで延在するダクトとを有し、前記塗布器部分は、弾性材料を有して形成されるため、前記開口は実質的に閉構造にされ、前記塗布器部分は、毛髪によって係合されるとき、弾性的に変形され、前記表面を通過する毛髪に塗布するために前記液体を前記表面に運搬することを支援するよう前記開口を開放させる、
塗布器。
【請求項２】
前記ステムは、実質的に剛性である、
請求項１記載の塗布器。
【請求項３】
前記ハンドルは、実質的に剛性である、
請求項１又は２記載の塗布器。
【請求項４】
前記ハンドルは、弾性的に変形可能であるため、ユーザは、前記ハンドルの弾性的変形によって前記チャンバにおける前記液体に対して圧力を加え得る、
請求項１記載の塗布器。
【請求項５】
前記塗布器部分は、前記ステムに対して外方向に延在する複数の歯を有し、前記ダクトは、前記通路から延在する複数のダクトのうちの１つであり、前記開口は、複数の開口のうちの１つであり、各開口は、前記ダクトの夫々１つに関連付けられてそこから前記液体を受け、前記開口は、隣接する歯の間において位置決めされるため、液体は前記歯の間に運搬され得る、
請求項１乃至４のうちいずれか一項記載の塗布器。
【請求項６】
各開口はスリットであり、該スリットは、前記ステムの実質的に長手方向に延在するよう前記軸に対して概して長手方向に平行に配向される、
請求項５記載の塗布器。
【請求項７】
各開口はスリットであり、該スリットは、前記ステムに対して概して横断方向に延在するよう前記軸に対して概して横断方向に配向される、
請求項５記載の塗布器。
【請求項８】
前記スリットは、一組の隣接する歯の間における、
請求項６又は７記載の塗布器。
【請求項９】
前記歯は、第１の組の歯であり、前記ステムは、該第１の組の歯に概して対向する方向において前記軸に対して外方向に延在する第２の組の歯を有する、
請求項８記載の塗布器。
【請求項１０】
前記開口は、細長いスリットであり、前記部分は、長手方向長さを備え、前記スリットは、該長手方向長さの大部分に延在する、
請求項５記載の塗布器。
【請求項１１】
各スリットに隣接して、スリットエッジ部は、前記軸から離れて前記表面から突出し、該エッジ部は、前記スリット又は各スリットを開放する支援をするための前記塗布器部分の弾性変形を促進するように毛髪の係合を支援するよう与えられる、
請求項６乃至１０のうちいずれか一項記載の塗布器。
【請求項１２】
前記スリット又は各スリットは、一組のエッジ部間において位置決めされ、前記エッジ部は、前記軸から離れて前記表面から延在し、また、前記スリット又は各スリットを開放する支援をするために毛髪を係合するよう前記塗布器部分を弾性的に変形させる支援をするよう与えられる、
請求項１乃至１１のうちいずれか一項記載の塗布器。
【請求項１３】
前記部分は、前記ソケットにおいて取外し可能に位置決めされる、
請求項１乃至１１のうちいずれか一項記載の塗布器。
【請求項１４】
当該塗布器は、バーを有し、該バーは、前記ステムに対して取り付けられ、そこに対して長手方向に延在し、またそこから間隔を離され、毛髪に前記表面を通過させる支援をするよう毛髪が通り得るギャップを与える、
請求項１乃至１３のうちいずれか一項記載の塗布器。
【請求項１５】
前記バーは、前記ステムに対して概して横断方向である軸の周囲における角運動のために前記ステムに対してピボット式に取り付けられる、
請求項１４記載の塗布器。
【請求項１６】
当該塗布器は、前記ステム通路において位置決めされる駆動部材とモータとを有し、該モータは、該駆動部材に動作可能に関連付けられ、また前記開口又は各開口に対する前記液体の運動を引き起こすために前記動部材を始動させるようユーザによって作動される、
請求項１乃至１５のうちいずれか一項記載の塗布器。
【請求項１７】
前記駆動部材は、螺旋であり、該螺旋は、前記ステム通路に沿って延在し且つ前記ステムの長手方向軸に対して概して平行である長手方向軸を備え、前記モータは、前記ハンドルにおいて位置決めされ、前記駆動部材の回転を引き起こすよう作動可能である、
請求項１６記載の塗布器。
【請求項１８】
毛髪に対して液体を塗布する塗布器であって、
液体を受容するよう通路を与え、該通路と連通するソケットを備える、中空のステムと、
該ソケットにおいて位置決めされる塗布器部分と、
を有し、
該部分は、毛髪が上方を通過する表面と、前記通路からの液体を受けるよう前記通路と液体連通する前記表面における開口と、を有し、前記部分は、弾性材料を有して作られるため、前記開口は、実質的に閉構造にされ、該部分は、毛髪によって係合されるとき、弾性的に変形され、前記表面を通過する毛髪に塗布するために前記液体を前記表面に運搬することを支援するよう前記開口を開放させる、
塗布器。
【請求項１９】
前記ステムは、ユーザによって握られるよう適合されるため、該ユーザは、前記毛髪にわたって前記表面を通過させ得る、
請求項１８記載の塗布器。
【請求項２０】
前記ステムは、ユーザによって変形可能であり、前記液体が前記開口に対して流れるように前記液体に対して圧力を加えるようにする、
請求項１８又は１９記載の塗布器。
【請求項２１】
前記開口は、第１の開口であり、前記塗布器部分は、複数の開口を有するよう更なる開口を有し、各開口は前記通路と連通する、
請求項１８乃至２０のうちいずれか一項記載の塗布器。
【請求項２２】
前記塗布器部分は、毛髪にわたる移動の意図される方向の概して横断方向である方向において延在するよう細長くされる、
請求項１８乃至２１のうちいずれか一項記載の塗布器。
【請求項２３】
各開口は、前記塗布器部分の概して横断方向に延在するスリットである、
請求項１８乃至２２のうちいずれか一項記載の塗布器。
【請求項２４】
各開口は、前記塗布器部分の概して長手方向に延在するスリットである、
請求項１８乃至２２のうちいずれか一項記載の塗布器。
【請求項２５】
前記塗布器部分は、横断方向断面において、前記ステムから長手方向に延在する先端まで延在する、
請求項１８乃至２４のうちいずれか一項記載の塗布器。
【請求項２６】
当該塗布器は、前記ステムに対して取り付けられるハンドルを有し、該ハンドルは、前記ステムに対して運ばれる前記液体を受容するよう中空である、
請求項１８乃至２５のうちいずれか一項記載の塗布器。
【請求項２７】
前記ハンドルは、弾性的に変形可能であるため、圧力は、液体が前記ステムに対して流れるよう前記液体に対して加えられ得る、
請求項２６記載の塗布器。
【請求項２８】
前記塗布器部分は、前記通路と連通するキャビティを与えるよう凹状であり、各開口は、該キャビティと連通する、
請求項１８乃至２７のうちいずれか一項記載の塗布器。
【請求項２９】
前記塗布器部分は、内部において各開口が与えられる長手方向に延在するリッジを有する、
請求項２８記載の塗布器。
【請求項３０】
前記塗布器は、コーム部を有し、該コーム部は、前記ステムに対して固定され、前記塗布器部分に対して概して横断方向に延在する複数の歯を与え、該歯は、前記塗布器部分に対して位置決めされるため、毛髪は、前記歯の間を前記表面にわたって通る、
請求項１８乃至２９のうちいずれか一項記載の塗布器。
【請求項３１】
前記表面は、前記ステムに対して長手方向に延在し、また所定の方向において前記ステムから見て外方を向き、前記ステムは、前記ステムから離れる方向において延在する前記ステムから突出する複数のコーム歯を備える、
請求項１８乃至２９のうちいずれか一項記載の塗布器。
【請求項３２】
前記コーム歯の方向は、前記長手方向軸に対して法線である方向構成要素を有する、
請求項３１記載の塗布器。
【発明の詳細な説明】
【技術分野】
【０００１】
本発明は、毛髪トリートメント塗布器に係り、特には、毛髪組成（ｈａｉｒ  ｃｏｍｐｏｓｉｔｉｏｎｓ）を毛髪に対して塗布するためのかかる塗布器に対する塗布ヘッドに係る。
【背景技術】
【０００２】
人間又は動物の毛髪又は頭皮に対する流体の塗布に対する塗布器は、既知である。かかる装置は概して、分注されるべき流体に対するリザーバ、ヘッド、及びリザーバとの連通を有する。頭部は、コーム（櫛）の歯の範囲又は歯自体における複数の開口を有するコームの形状であり得る。コーミング中、流体は、リザーバから通路及び開口を通って毛髪上へと押し出される。かかる装置の例は、米国特許第１，００４，３７１号明細書（特許文献１）、米国特許第２，０６２，３７６号明細書（特許文献２）、米国特許第４，５６６，４７２号明細書（特許文献３）、米国特許第５，０２４，２４３号明細書（特許文献４）、米国特許第５，１４６，９３６号明細書（特許文献５）、米国特許第６，４３１，１７８号明細書（特許文献６）、及びその他多くにおいて記載される。塗布器のヘッドはまた、米国特許第６，７５２，１５７号明細書（特許文献７）等における形状を有し得、ヘッドは、流体が塗布されるべき毛髪の房を保持する一端において共にヒンジ留めされる２つの部材から構成される。
【０００３】
上述されたような前に既知である塗布器は、製造のコスト、使用に関する煩雑さ、及び困難性を含み得る複数の不利点を有する。
【先行技術文献】
【特許文献】
【０００４】
【特許文献１】米国特許第１，００４，３７１号明細書
【特許文献２】米国特許第２，０６２，３７６号明細書
【特許文献３】米国特許第４，５６６，４７２号明細書
【特許文献４】米国特許第５，０２４，２４３号明細書
【特許文献５】米国特許第５，１４６，９３６号明細書
【特許文献６】米国特許第６，４３１，１７８号明細書
【特許文献７】米国特許第６，７５２，１５７号明細書
【発明の概要】
【発明が解決しようとする課題】
【０００５】
本発明は、上述された不利点の少なくとも１つを克服又は実質的に改善する、ことを目的とする。
【課題を解決するための手段】
【０００６】
本願において、毛髪に対して液体を塗布する塗布器が開示される。当該塗布器は：
分注器（ディスペンサ）によって分注されるべき液体を受容するためのチャンバを与える、ユーザの手において握られるハンドル；
ハンドルから長手方向に延在するようハンドルに対して固定されるステム；及び、
塗布器部分（ａｐｐｌｉｃａｔｏｒ  ｐｏｒｔｉｏｎ）、
を有する。ステムは、長手方向軸、及びチャンバと連通する長手方向通路（パッセージ）を備え、使用時に、チャンバからの液体は、ステムの長手方向に流れ得る。ステムは更に、通路と連通するソケットを有する。塗布器部分は、ソケットにおいて位置決めされる。該部分は、毛髪が上方を通る表面、及び液体が運搬され得る表面における開口まで通路から延在するダクトを有する。該部分は、弾性材料を有して形成されるため、開口は、実質的に閉構造にされる。該部分は、毛髪によって係合されるとき、弾性的に変形され、表面を通過する毛髪への塗布に対して表面への液体の運搬を支援するよう、開口を開放させる。
【０００７】
望ましくは、ステムは、実質的に剛性である。
【０００８】
望ましくは、ハンドルは、実質的に剛性である。
【０００９】
他の望ましい形状において、ハンドルは、弾性的に変形可能であり、ユーザは、ハンドルの弾性的変形によってチャンバにおける液体に対して圧力を加え得る。
【００１０】
第１の望ましい形状において、塗布器部分は、ステムに対して外方向に延在する複数の歯を有する。ダクトは、通路から延在する複数のダクトのうちの１つである。開口は、複数の開口のうちの１つであり、各開口は、夫々１つのダクトに関連付けられ、そこから液体を受ける。開口は、隣接する歯の間において位置決めされるため、液体は、歯の間に運搬され得る。
【００１１】
望ましくは、各開口はスリットである。該スリットは、軸に対して概して長手方向に平行に配向され、ステムの実質的に長手方向に延在する。
【００１２】
他の望ましい形状において、各開口はスリットである。該スリットは、概してステムに対して横断方向に延在するよう概して軸に対して横断方向に延在するよう配向される。
【００１３】
望ましくは、スリットは、隣接する一組の歯の間にある。
【００１４】
望ましくは、歯は、第１の組の歯である。ステムは、第１の組の歯に概して対向する方向において軸に対して外方向に延在する第２の組の歯を有する。
【００１５】
更に他の望ましい形状において、開口は、細長いスリットである。塗布器部分は、長手方向長さを有し、スリットは、長手方向長さの大部分に延在する。
【００１６】
望ましくは、塗布器部分は、ソケットにおいて取外し可能に位置決めされる。
【００１７】
望ましくは、スリット又は各スリットに隣接して、軸から離れた表面から突出するスリットエッジ部がある。該エッジ部は、スリット又は各スリットを開放する支援をするために塗布器部分の弾性的変形を促進するよう毛髪を係合する支援をするよう与えられる。
【００１８】
更に望ましい形状において、スリット又は各スリットは、一組のエッジ部間において位置決めされる。エッジ部は、軸から離れた表面から延在し、また、スリット又は各スリットを開放する支援をするために毛髪を係合するよう塗布器部分を弾性的に変形させる支援をするよう与えられる。
【００１９】
更なる望ましい形状において、塗布器は、ステムに対して取り付けられるバーを有し、該バーは、そこに対して長手方向に延在し、そこから間隔を離され、毛髪に表面を通過させる支援をするよう毛髪が間を通り得るギャップを与えるようにする。
【００２０】
望ましくは、バーは、ステムの概して横断方向である軸の周囲における角運動に対してステムにピボット式に取り付けられる。
【００２１】
望ましくは、塗布器は、ステム通路において位置決めされる駆動部材及びモータを有する。該モータは、駆動部材に作動可能に関連付けられ、開口又は各開口に対する液体の運動を引き起こすよう、駆動部材を始動させるようユーザによって作動される。
【００２２】
望ましくは、駆動部材は、螺旋（ｓｐｉｒａｌ）であり、ステム通路に沿って延在し、ステムの長手方向軸に対して概して平行である長手方向軸を備える。モータは、ハンドルにおいて位置決めされ、駆動部材の回転を引き起こすよう作動可能である。
【００２３】
本願においては、更に、毛髪に対して液体を塗布するための塗布器が開示される。当該塗布器は：
該通路と連通するソケットを備える、液体を受けるための通路を与える中空のステム；及び、
ソケットにおいて位置決めされる塗布器部分、
を有する。該塗布器部分は、毛髪が上方を通る表面、及び通路からの液体を受けるよう通路と液体連通する該表面における開口を有する。該塗布器部分は、弾性材料を有して作られるため、該開口は、実質的に閉位置にされる。該部分は、毛髪によって係合されるとき、弾性的に変形され、表面を通過する毛髪への塗布に対して表面への液体の運搬を支援するよう開口を開放させる。
【００２４】
望ましくは、ステムは、ユーザによって握られるよう適合されるため、ユーザは、表面を毛髪にわたって通過させ得る。
【００２５】
望ましくは、ステムは、液体が開口に流れるように液体に対して圧力を加えるよう、ユーザによって変形可能である。
【００２６】
望ましくは、開口は第１の開口であり、塗布器は、複数の開口を備えるよう更なる開口を有する。各開口は、通路と連通する。
【００２７】
望ましくは、塗布器部分は、細長くされ、毛髪にわたる移動の意図される方向の概して横断方向において延在する。
【００２８】
望ましくは、各開口は、塗布器部分の概して横断方向に延在するスリットである。
【００２９】
他の望ましい形状において、各開口は、塗布器部分の概して長手方向に延在するスリットである。
【００３０】
望ましくは、横断方向断面における塗布器部分は、ステムから長手方向に延在する先端まで延在する。
【００３１】
望ましくは、塗布器部分は、ステムに対して取り付けられるハンドルを有し、該ハンドルは、ステムまでの運搬に対して液体を受容するよう中空である。
【００３２】
望ましくは、ハンドルは、弾性的に変形可能であり、圧力は、液体がステムまで流れるよう液体に対して加えられる。
【００３３】
望ましくは、塗布器部分は、通路と連通するキャビティを与えるよう凹状であり、各開口は、該キャビティと連通する。
【００３４】
望ましくは、塗布器部分は、内部において各開口が与えられる長手方向に延在するリッジを有する。
【００３５】
望ましくは、塗布器は、コーム部を有する。該コーム部は、ステムに対して固定され、塗布器部分に対して概して横断方向に延在する複数の歯を与える。歯は、塗布器部分に対して位置決めされ、毛髪は、歯の間並びに表面の上方を通過する。
【００３６】
望ましくは、表面は、ステムに対して長手方向に延在し、所定の方向においてステムから見て外方に向き、またステムは、そこから突出して、ステムから離れる方向において延在する複数のコーム歯（ｃｏｍｂ−ｔｅｅｔｈ）を有する。
【００３７】
望ましくは、ステムは、長手方向軸を有し、コーム歯の方向は、長手方向軸に対して法線である方向構成要素（ｄｉｒｅｃｔｉｏｎ  ｃｏｍｐｏｎｅｎｔ  ｎｏｒｍａｌ  ｔｏ  ｓａｉｄ  ｌｏｎｇｉｔｕｄｉｎａｌ  ａｘｉｓ）を有する。
【００３８】
本発明の望ましい形状はこれより、例として添付の図面を参照して説明される。
【図面の簡単な説明】
【００３９】
【図１】毛髪に対して液体を塗布するための塗布器の概略的側面図である。
【図２】図１中の塗布器の修正の概略的側面図である。
【図３】図１中の塗布器の概略的平面図である。
【図４】図１中の塗布器の概略的な部分断面側面図である。
【図５】図１又は２中の塗布器において用いられる塗布器部分の概略的平面図である。
【図６】図５中の塗布器部分の概略的側面図である。
【図７】図５中の線７−７に沿って区切られた塗布器部分の概略的側面断面図である。
【図８】図５中の塗布器部分の概略的底面図である。
【図９】図６中の線９−９に沿って区切られた塗布器部分の概略的端部断面図である。
【図１０】図９中の部分の修正である、図６中の線９−９に沿って区切られた塗布器部分の概略的端部断面図である。
【図１１】図１及び２中の塗布器の概略的端面図である。
【図１２】図２中の線１２−１２に沿って区切られた塗布器の概略的端部断面図である。
【図１３】塗布器が取り外された図２中の線１２−１２に沿って区切られた塗布器の概略的端部断面図である。
【図１４】加熱素子が追加された、図１中の線１２−１２に沿った断面である塗布器の修正の概略的端部断面図である。
【図１５】図２中の塗布器の修正の概略的側面図である。
【図１６】図１及び２中の塗布器の使用を概略的に図示する。
【図１７】図５中の塗布器部分の修正の概略的平面図である。
【図１８】図５中の塗布器部分の更なる修正の概略的平面図である。
【図１９】図１７中の塗布器部分の概略的側部断面図である。
【図２０】図１７及び１８中の塗布器部分の概略的底面図である。
【図２１】図５中の塗布器部分の修正の概略的側部断面図である。
【図２２】図２１中の塗布器部分の修正の概略的側部断面図である。
【図２３】図１中の塗布器の修正の概略的側部断面図である。
【図２４】図５中の塗布器部分の修正の概略的側面図である。
【図２５】図２４中の塗布器部分の概略的底面図である。
【図２６】図２４中の塗布器部分の概略的上面図である。
【図２７】図２４中の塗布器部分の概略的端面図である。
【図２８】図２４中の塗布器部分の概略的端面図である。
【図２９】図２４中の線２９−２９に沿って区切られた塗布器部分の概略的端部断面図である。
【図３０】更なる塗布器の概略的正面図である。
【図３１】図３０中の塗布器の概略的側面図である。
【図３２】図３０中の塗布器の修正の概略的正面図である。
【図３３】図３２中の塗布器の概略的側面図である。
【図３４】図１中の塗布器の修正の概略的端部断面図である。
【図３５】更なる塗布器の概略的側面図である。
【図３６】図３５中の塗布器の概略的部分分解側面図である。
【図３７】図３６中の線３７−３７に沿って区切られた塗布器の概略的端部断面図である。
【図３８】図３６中の塗布器の概略的上面図である。
【図３９】図３５中の塗布器の塗布器部分の概略的側面図である。
【図４０】図３９中の線４０−４０に沿って区切られた塗布器部分の概略的端部断面図である。
【図４１】図３９中の線４１−４１に沿って区切られた塗布器部分の概略的端面図である。
【発明を実施するための形態】
【００４０】
添付の図面の図１乃至２９は、毛髪に対して液体３２を塗布する塗布器１０を概略的に示す。例えば、液体３２は、染料、又は他の毛髪トリートメント液体であり得る。この実施例において、塗布器１０は、ハンドル１１を有する。該ハンドル１１は、中空であり、毛髪に対して運搬されるべき液体３２を格納するようチャンバ１２を与える。ハンドル１１は、例えば円筒形の構造であり得る長手方向側壁１３を有する。一実施例において、側壁１３は概して剛性である一方、他の実施例において、側壁１３は、弾性的に変形可能であり、ハンドル１１を握るユーザは、チャンバ１２内における液体３２に対して圧力を加えるよう壁１３を弾性的に変形させ得る。ハンドル１１は、長手方向軸１４を有する。
【００４１】
ステム１６は、ハンドル１１の端部壁１５に対して固定される。ステム１６は、実質的に剛性であり、またハンドル１１と一体的に形成され得るか、あるいは単にハンドル１１に対して取り付けられ得る。一例として、ハンドル１１及びステム１６は、プラスチック材料から一体的に形成され得る。
【００４２】
ステム１６は、この実施例において軸１４と位置合わせされる長手方向軸１７を有する。ステム１６は、複数の横断方向溝（横溝）１８を有する。
【００４３】
複数の歯１９は、ステム１６から外方向に延在し且つステム１６に対して固定され、毛髪は、該歯の間を通り得る。この実施例において、歯１９は、ステム１６から離れて延在するよう、軸１７に対して概して半径方向に延在する。
【００４４】
ステム１６は、長手方向通路（パッセージ）２０を与えるよう中空である。該通路２０は、チャンバ１２と連通し、液体３２は、チャンバ１２から通り、通路２０を介してステム１６の長手方向に移動し得る。ステム１６は、概して円筒形の長手方向壁２１を備え、該長手方向壁２１は、ハンドル１１と一体的に形成され得るか、あるいは（図４に示される通り）壁１３に固定されるよう該壁にねじ山によって係合（ｔｈｒｅａｄｂｌｙ  ｅｎｇａｇｅｄ）され得る。
【００４５】
ステム１６は、通路２０と連通するソケット２２を与えられる。塗布器部分２３は、ソケット２２において解放可能に固定される。
【００４６】
塗布器部分２３は、弾性材料（天然又は合成ゴム又はプラスチック等）を有して形成される。
【００４７】
塗布器部分２３は、内部において複数のダクト２５が形成される基部２４を有する。ダクト２５は、四角形、長方形であり得るか、あるいは所望される横断断面を有し得る。ダクト２５は、基部２４を通って横断方向に延在し、液体が表面において形成される開口２６と通路２０との間において流れるようにする。この実施例において、開口２６は、概して軸１７に対して平行に位置合わせされる幅が狭く細長いスリットである。基部２４はまた、複数の歯２７を有して形成され、該歯２７の間において開口２６が長手方向に延在する。
【００４８】
図１及び２中の塗布器の修正（ｍｏｄｉｆｉｃａｔｉｏｎ）において、ステム１６は、長手方向に延在する加熱素子２８を与えられ得、ハンドル１１は、電力を素子２８に対して送るスイッチを与えられる。典型的には、調節装置は、素子２８の作動温度を制御する。
【００４９】
図１及び２中の塗布器の修正において、歯１９は、ステム１６に対する毛髪の保持を支援するようバー２９に置き換えられ得、液体が毛髪に塗布され得るようにされる。この実施例において、バー２９は、ステム１６に沿って長手方向の伸張を有し、望ましくはピボット組立体３０を用いてステム１６に対してピボット可能に取り付けられる。バネ付きピボット組立体３０は、ステム１６の横断方向、即ち軸１７に対して概して垂直方向であるバー２９に対するピボット軸を与える。トリガ３１は、バー２９に対して固定され、矢印３２の方向におけるバー２９の角運動を引き起こすようユーザの指によって係合される。組立体３０は、ステム１６に向かってバー２９を促す。バー２９は、電気的に加熱され得る。
【００５０】
望ましくは、側壁２０は開口２３を有し、該開口２３を介して空気は、チャンバ１２内における圧力を大気圧に対して等しくする支援するよう、通路２０並びにチャンバ１２に入り得る。
【００５１】
図１７は、塗布器部分の修正を概略的に図示する。この実施例において、基部２４は、液体を塗布するよう上方において毛髪が引かれる（ｄｒａｗｎ）表面３４を備える。表面３４は、スロット３５の形状における細長い開口を備え、該スロット３５は、基部２４の実質的に全長に延在し、長手方向軸１７に対して概して平行である。スロット３５は、基部２４の実質的に全長に延在する通路３６と連通する。
【００５２】
図１８の実施例において、表面３４は、通路３６と連通するスロット３７の形状における複数の開口である。スロット３７は、長手方向軸１７に対して概して平行であり且つ長手方向に延在するよう、位置合わせされる。
【００５３】
図１７乃至２０の実施例において、基部２４は、弾性材料を有して形成され、スロット３５又はスロット３７は、弾性的に閉じるよう促され、表面３４にわたる毛髪の運動によって開位置まで動かされる。
【００５４】
図２１は、塗布器部分２３の修正を概略的に図示する。この実施例において、塗布器部分２３は、エッジ部３８を有する。該エッジ部３８は、「リップ」の形状であり、表面３４に対して固定され、そこから長手方向軸１４を離れて突出する。エッジ部３４は、インサート３４の弾性変形にスロット３５及びスロット３７を開放させるよう、毛髪の係合を支援する。図２２の実施例において、２つのエッジ部３８は、概して平行であり且つ同一の広がりを持つ（ｃｏ−ｅｘｔｅｎｓｉｖｅ）ものとして与えられ、関連付けられるスロット３７の対向する側部上に位置決めされる。エッジ部３８は、表面３４にわたる毛髪の運動の方向に関わりなく、毛髪を係合する支援をする。
【００５５】
図２２の実施例において、単一のエッジ部は、各スリット３７に対して与えられる。
【００５６】
図２１及び２２の実施例において、横断断面における塗布器部分２３は、「Ｕ字」型構造である。塗布器部分は、スロット３５又は３７を備え且つ表面３４を与える横断方向基部４０によって接合される２つの概して平行であり且つ同一の広がりを持つ側壁３９を備える。中空部分（ｈｏｌｌｏｗ）４１は通路２０と連通し、液体は、スロット３５又はスロット３７まで運搬される。壁３４は、ソケット２２内において受容され、ステム１６に対して固定される塗布器部分２３を保定するようその側部に摩擦的に係合する。
【００５７】
図１６において最もよく見られる通り、ユーザは、ハンドル１１を握り、髪がステム１６の周囲に巻くようにし、毛髪が表面３４を通るよう塗布器１０を動かす。図１の実施例において、毛髪はまた、歯２７の間を通り、歯２７及び１９、又はバー２９によってステム１６の周囲に通過させられる。歯２７の間を通る毛髪は、塗布器部分２３に係合し、その弾性変形を引き起こして開口２６の開放を促すようにする。この前に、塗布器部分２３が形成されるこの弾性材料は、開口２６を閉構造に促す。
【００５８】
図２３乃至２９の実施例において、塗布器１０は、修正され、バッテリコンパートメント４３において位置決めされるバッテリから電力を受けるバッテリ作動モータ４２は、ハンドル１１において有される。駆動部材４４は、通路２０において位置決めされる。駆動部材４４は、この実施例において、軸１７の周囲において長手方向に角度を有して延在するスパイラルスクリュ部材４５である。駆動部材４４は、モータ４２に対して駆動可能に取り付けられ、軸１７の周囲における駆動部材４４の回転時に、液体３２は、開口２６まで流される。その点において、ハンドル１１は、通路２０に対して通気を与える開口４６を与えられ得る。他の実施例において、通路２０は、液体３２のリザーバまで延在する可撓性のチューブ４７に対して取り付けられる。したがって、モータ４２の作動時に、液体３２は、リザーバ（図示せず）から引かれ、通路２０まで運搬され、そこから開口２６まで流れる。典型的にはハンドル１１は、バッテリからモータ４２まで電力を送るよう操作者によって使用されるボタン又はトリガを与えられる。
【００５９】
この実施例において、塗布器部分２３は、軸１７の方向において長手方向に細長くされ、開口２６の各々は、概して塗布器部分２３の横断方向に延在するスリット、即ち概して軸１７に対して横断するスリットである。
【００６０】
この実施例において、基部２４は、概して平行である一組のフランジ４８を与え、該フランジの間において、壁２１に係合するスロット４９があり、壁２１は、スロット４９へと突出する。
【００６１】
表面３４は、基部２４から離れて長手方向に延在する先端部（ピーク）５１に対して収束する一組の収束サブ表面（ｃｏｎｖｅｒｇｉｎｇ  ｓｕｂ−ｓｕｒｆａｃｅｓ）５０によって与えられる。
【００６２】
開口２６は、基部２４において形成される細長いキャビティ５２を用いて通路２０と連通する。
【００６３】
また、塗布器部分２３は、弾性材料を有して形成され、毛髪がサブ表面５０の一方又は両方に係合する際、塗布器部分２３は、開口２６を開放するよう弾性的に変形し、毛髪が入り得るようにするか、並びに／あるいは液体が出得るようにする。
【００６４】
図３０及び３１の実施例は、液体６１を毛髪に対して塗布するための塗布器６０を概略的に示す。塗布器６０は、液体６１を受ける通路６３を与えるよう中空であるステム６２を有する。ステム６２の一端は、前述された塗布器部分２３の１つと同一であり得る塗布器部分６５を受けるソケット６４を与えられる。望ましくはこの実施例において、塗布器部分６５は、図２４乃至２９の塗布器部分２３と同一である。したがって、それは、概して塗布器部分６５の横断方向に延在する横断方向スリットの形状である開口２６、及び収束表面５０を有する。図３０において最もよく見られる通り、塗布器部分６５は、長手方向に細長くされる。図２５によれば、塗布器部分６５は、通路６３と開口２６との間における液体連通を与えるキャビティ５２を備える。
【００６５】
望ましくは、ステム６２は、変形可能な材料を有して形成され、通路６３は、変形され得、故に液体６１がステム６２に沿って開口２６まで流されるよう容積を減少され得る。ステム６２の変形は、ステム６２を握ってステム６２を圧迫するユーザによって引き起こされる。より望ましくは、ステム６２は、弾性的に変形可能な材料を有して形成される。望ましくは、通路６３は、開口２６を除いて閉じられる。
【００６６】
図３２及び３３の実施例において、塗布器６０は、ステム６２に対して固定されるコーム部材６６を与えられ、複数の歯６７を与える。該歯６７を介して毛髪は、塗布器部分６５の弾性的変形及び開口２６の開放を引き起こすように表面５０の一方又は両方を通過するよう引かれ、毛髪は開口２６に入り得、並びに／あるいは、液体は開口２６から出得る。この実施例においてユーザは、毛髪の長さに沿って塗布器６０を動かすようステム６２を握る。開口２６は、塗布器部分６５の長手方向軸６８に対して横断方向又は平行に延在し得る。
【００６７】
図３４における実施例において、塗布器７０は、長手方向に延在するエッジ部７３を備える概して弓状である弓状体７１を有するステム７２を備える。可撓性の弾性塗布器部分７４は、エッジ部７３に対して適用及び固定される。塗布器部分７４は、内部にエッジ部７３が位置決めされる長手方向に延在するスロット７６を有する長手方向に延在するフランジ７５を備えるため、塗布器部分７４は、ステム７３に対して固定される。フランジ７５から頂点７９に収束する側部７８を備える頂点部７７は、フランジ７３から延在する。典型的にスリット（開口）は、塗布されるべき液体が運搬される通路８０に連通するよう塗布器部分７４を介して、頂点７６から延在する。歯８１は、弓状体７１に対して固定されるか、あるいはそれと一体的に形成される。
【００６８】
図３５乃至３９は、塗布器９０を概略的に示す。塗布器９０は、前述された通り液体を毛髪に対して塗布するためのものである。塗布器９０は、毛髪に対して運搬されるべき液体を格納するチャンバ９２を与えるよう中空であるハンドル９１を有する。ハンドル９１は、典型的には円筒形の構造を有する長手方向に延在する側壁９３を有する。一実施例において、側壁９３は合成であり、他の実施例において側壁９３は、弾性的に変形可能であるため、チャンバ９２において含有される液体は、中空のステム９６を通過させられる。ステム９６は、ハンドル９１の端部壁９５に対して固定される。ハンドル９１及びステム９６は、長手方向軸９４を備える。ステムは、実質的に剛性である。
【００６９】
間をユーザの毛髪が通過し得る複数のコーム歯９７は、ステム９６に対して取り付けられるか、あるいは（取り付けられるよう）ステム９６と一体的に形成される。
【００７０】
ステム９６は、液体がチャンバ９２から運搬される長手方向に延在する通路９８を備えるよう、中空である。
【００７１】
ステム９６は、ステム９６の長手方向に延在するエッジ１００の間において画定される長手方向に延在する開口９９を備える。塗布器部分１０１は、開口９９を閉じるようエッジ１００に係合される。部分１０１は、望ましくは弾性材料を有して形成され、通路９８から液体を受けるキャビティ１０２を与えるよう概して凹状である。
【００７２】
塗布器部分１０１は、弓状体１０３を備え、該弓状体からは、横断方向スリット１０５を有する長手方向に延在する先の尖った突起１０４が延在する。スリット１０５は、キャビティ１０２に連通するため、液体は、部分１０１に対して圧力が加えられる際にスリット１０５を介して出ることができ、その弾性変形がスリット１０５を少なくとも部分的に開放して液体がそこを通過し得るようにする。
【００７３】
ステム９６の端部は、キャップ１０６によって閉じられ、それによって通路９８の先端部を閉じるようにする。
【００７４】
上述された塗布器９０の使用において、毛髪は、部分１０１の表面１０７及びスリット１０５を通り、開口を与えるためにスリット１０５を開放させ、該開口を介して液体は、毛髪に対して塗布されるために出るよう通路９８からキャビティ１０２を介して通り得る。部分１０１が弾性材料を有して形成されるため、スリット１０５は、閉位置まで促される。
【００７５】
エッジ部１００、及び開口９９は、塗布器部分１０１が塗布されるソケットを与える。
【００７６】
部分１０1は、内部においてスリット１０５が形成される表面１０７を与える。表面１０７は、所定の方向１０８においてステム９６からみて外方を向く。コーム歯９７はまた、ステム９６から離れて突出し、望ましくは軸９４に対して概して法線である伸張の主な方向を有する。
上述された実施例に関し、塗布器１０，７０及び９０は、夫々の長手方向軸１４，９４の周囲に角度を有して移動されるよう、並びに／あるいは毛髪の長さに沿ってぬぐい取り作用において通る（ｐａｓｔ  ｉｎ  ｗｉｐｉｎｇ  ａｃｔｉｏｎ）よう、意図される。より特には、図１６を参照して最もよく説明される通り、毛髪は、開口２６，１０５を含有する表面の周囲に弓状に移動される。図３０乃至３３の実施例において、塗布器６０は、ぬぐい取り作用において毛髪の長さに沿って移動されるよう意図される。その際、ユーザはステム６１を握る。
【図１】
2010509948.tif 000003
【図２】
2010509948.tif 000004
【図３】
2010509948.tif 000005
【図４】
2010509948.tif 000006
【図５】
2010509948.tif 000007
【図６】
2010509948.tif 000008
【図７】
2010509948.tif 000009
【図８】
2010509948.tif 000010
【図９】
2010509948.tif 000011
【図１０】
2010509948.tif 000012
【図１１】
2010509948.tif 000013
【図１２】
2010509948.tif 000014
【図１３】
2010509948.tif 000015
【図１４】
2010509948.tif 000016
【図１５】
2010509948.tif 000017
【図１６】
2010509948.tif 000018
【図１７】
2010509948.tif 000019
【図１８】
2010509948.tif 000020
【図１９】
2010509948.tif 000021
【図２０】
2010509948.tif 000022
【図２１】
2010509948.tif 000023
【図２２】
2010509948.tif 000024
【図２３】
2010509948.tif 000025
【図２４】
2010509948.tif 000026
【図２５】
2010509948.tif 000027
【図２６】
2010509948.tif 000028
【図２７】
2010509948.tif 000029
【図２８】
2010509948.tif 000030
【図２９】
2010509948.tif 000031
【図３０】
2010509948.tif 000032
【図３１】
2010509948.tif 000033
【図３２】
2010509948.tif 000034
【図３３】
2010509948.tif 000035
【図３４】
2010509948.tif 000036
【図３５】
2010509948.tif 000037
【図３６】
2010509948.tif 000038
【図３７】
2010509948.tif 000039
【図３８】
2010509948.tif 000040
【図３９】
2010509948.tif 000041
【図４０】
2010509948.tif 000042
【図４１】
2010509948.tif 000043
【国際調査報告】
2010509948.tif 000044
2010509948.tif 000045
2010509948.tif 000046